(57)【要約】【課題】軸の周面に摺動自在に密接する主シールリップ２と、主シールリップ２とは別体であってオイル側Ａに位置しリップ先端部５２がオイル側Ａに向かって延び軸の周面に摺動自在に密接する補助シールリップ４とを備えるオイルシール１において、軸をオイル側Ａから挿通した場合であっても補助シールリップ４のリップ先端部５２の装着状態を確認することができると共に、リップ先端部５２のリップメクレが発生した場合には、その更正をすることができるオイルシールを提供する【解決手段】ハウジングに嵌合している補助シールリップ４の内周側に主シールリップ２を嵌合させた。また、ハウジングに段差を設け、その段差の径方向面に補助シールリップ４のオイル側端面５１ｂを当接させた。【選択図】図１
2007182956.tif 000002
【特許請求の範囲】
【請求項１】
軸方向に相対動する二部材間の環状空間に設けられ、前記一の部材の周面に摺動自在に密接する主シールリップと、前記主シールリップとは別体であってオイル側に位置しリップ先端部がオイル側に向かって延び前記一の部材の周面に摺動自在に密接する補助シールリップとを備えるオイルシールにおいて、
前記他の部材に嵌合している前記補助シールリップの内周側に前記主シールリップが嵌合していることを特徴とするオイルシール。
【請求項２】
前記他の部材がオイル側に縮径となる段差を有し、前記補助シールリップのオイル側の端面が前記段差の径方向面と当接していることを特徴とする請求項1に記載のオイルシール。
【発明の詳細な説明】
【技術分野】
【０００１】
本発明は、オイルシールに係り、更に詳しくは、主に減速機及びサーボモータ用に使用されるオイルシールリップとダストシールリップとが別体で組付けられているオイルシールに関する。
【背景技術】
【０００２】
従来、減速機及びサーボモータ用等に使用されるオイルシール１００は、図４に示すとおり、密封対象のオイルをシールするオイル側Ａに延びる主シールリップ１０１と、主シールリップ１０１とは別体であって主シールリップ１０１よりオイル側Ａに位置しリップ先端部１０５がオイル側Ａに向って延びる補助シールリップ１０２とを有するＲＥ型シールを用いており（下記特許文献を参照）、ハウジングの内周側に主シールリップ１０１の芯金１０３を嵌合させ、その主シールリップ１０１の芯金１０３の内周側に補助シールリップ１０２の芯金１０４を嵌合させた後に、軸をオイルシール１００の内周側に挿通させ、ハウジングと軸とで形成する環状空間にオイルシール１００を組付けていた。
【０００３】
この軸を内周側に挿通させるとき、軸を大気側Ｂから挿通するのが好ましいが、場合によっては、相手構造上の要請よりオイル側Ａから軸を挿通する必要があり、この場合に補助シールリップ１０２のリップ先端部１０５がオイル側Ｂに向いているため、リップメクレが発生する虞があった。しかも、リップメクレが発生しても主シールリップ１０１は既にハウジングに嵌合しており、しかも補助シールリップ１０２より大気側Ｂに位置するので、大気側Ｂより補助シールリップ１０２のリップ先端部１０５の装着状態を確認することができない。したがって、リップメクレが更正されずに放置されることとなり、その結果オイル内部の異物に対する密封性の低下、及び発熱上昇によるシール寿命の低下が懸念されていた。
【０００４】
【特許文献１】特開２００１−９９３３０号公報
【発明の開示】
【発明が解決しようとする課題】
【０００５】
本発明は上述の問題点を解決するためになされたものであって、その目的とするところは、軸をオイル側から挿通した場合であっても補助シールリップのリップ先端部の装着状態を確認することができると共に、リップメクレが発生した場合には、その更正をすることができるオイルシールを提供することである。
【課題を解決するための手段】
【０００６】
上記目的を達成するため、本発明の請求項１にかかるオイルシールは、軸方向に相対動する二部材間の環状空間に設けられ、前記一の部材の周面に摺動自在に密接する主シールリップと、前記主シールリップとは別体であってオイル側に位置しリップ先端部がオイル側に向かって延び前記一の部材の周面に摺動自在に密接する補助シールリップとを備えるオイルシールにおいて、前記他の部材に嵌合している前記補助シールリップの内周側に前記主シールリップが嵌合していることを特徴とするものである。
【０００７】
また、本発明の請求項２に係るオイルシールは、請求項1に記載のオイルシールにおいて、前記他の部材がオイル側に縮径となる段差を有し、前記補助シールリップのオイル側の端面が前記段差の径方向面と当接していることを特徴とするものである。
【発明の効果】
【０００８】
本発明は、以下の効果を奏する。
【０００９】
すなわち、上記構成を備えた請求項１に係るオイルシールは、主シールリップとは別体であって主シールリップよりオイル側に位置する補助シールリップを他の部材に嵌合させたのち、主シールリップを嵌合させる前に一の部材を他の部材の内周側に挿通させることができる。したがって、一の部材をオイル側から挿通したとき、補助シールリップのリップ先端部の装着状態を大気側から確認することができると共に、リップ先端部がオイル側に向いていることによりリップ先端部にリップメクレが発生した場合には、その更正をすることができる。
【００１０】
更に、これに加えて上記構成を備えた請求項２に係るオイルシールは、他の部材がオイル側に縮径となる段差を有し、補助シールリップのオイル側の端面が前記段差の径方向面と当接しているので、主シールリップを嵌合させるために大気側から挿通したときに、補助シールリップがオイル側方向にズレルのを防止することができる。
【発明を実施するための最良の形態】
【００１１】
以下に図面を参照して、この発明の好適な実施の形態を例示して説明する。
【００１２】
図１は、本発明に係るオイルシールの断面図であり、図２は、本発明に係るオイルシールを環状空間に組付けている状態を示す説明図、図３は、本発明に係るオイルシールを環状空間に組付けた状態の断面図である。
【００１３】
このオイルシール1は、一の部材である軸６と他の部材であるハウジング７とで形成する環状空間に装着されるものであって、別体の主シールリップ２と、その主シールリップ２よりオイル側Ａに位置する補助シールリップ４とで構成されている。
【００１４】
補助シールリップ４は、軸方向に延び軸方向部４１と軸方向部４１のオイル側Ａ端部から内周方向に延びる径方向部４２とからなる第二芯金４０と、第二芯金４０を覆っていてハウジングとの間をシールする外周側固定密封部５１ａを有する固定密封部５１とその固定密封部５１と一体で成形されていて径方向部４２の内周側に接着しリップ先端部５２がオイル側Ａに向かって延びている補助リップ部５３とからなる補助シール部５０と、から構成されている。
【００１５】
主シールリップ２は補助シールリップ４より大気側Ｂに位置し、補助シールリップ４の内周側に補助シールリップの内周側固定密封部５１ｃを介して嵌合している軸方向部２１とその軸方向部２１の大気側Ｂ端部から内周方向に延びる径方向部２２とからなる第一芯金２０と、径方向部２２を覆っている固定密封部３１とその固定密封部３１と一体で内周側に成形されていて大気側Ｂに向って先端部が延びるサブリップ部３２とオイル側Ａに向って延び先端部の外周側にガータスプリング３３が装着されている主リップ部３４とからなる主シール部３０と、から構成されている。
【００１６】
上記構成のオイルシール１は、図２に示す通り、ハウジング７の内周に補助シールリップ４の第二芯金４０の軸方向部４１を外周側固定密封部５１ａを介して嵌合させる。この場合に、ハウジング７はオイル側Ａに縮径する段差部７１が形成されていて、この段差部７１の径方向面７２に第二芯金４０の径方向部４２のオイル側Ａを覆っている固定密封部５１のオイル側端面５１ｂが当接している。
【００１７】
次いで、軸６を補助シールリップ４の内周側に挿通させる。この場合に軸６をオイル側Ａ（図における矢印Ｘ方向）から挿通すると補助リップ部５３のリップ先端部５２がオイル側Ａに向いているので、リップ先端部５２のリップメクレが発生する虞があるが、主シールリップ２が未だ嵌合されていないので、補助リップ部５３の装着状態を大気側Ｂから容易に確認することが可能になると共に、リップ先端部５２にリップメクレが発生している場合にはその更正を容易に行なうことが可能となる。
【００１８】
最後に、主シールリップ２を大気側Ｂより補助シールリップ４の内周側に挿入し、第一芯金２０の軸方向部２１を補助シールリップ４の内周側固定密封部５１ｃを介して第二芯金４０の軸方向部４１に嵌合させてオイルシール１を環状空間に取り付ける。この場合に主シールリップ２を大気側Ｂから挿入しても、補助シールリップ４の固定密封部５１のオイル側端面５１ｂがハウジング７に形成されている段差７１の径方向面７２に当接しているので、補助シールリップ４がオイル側に位置ずれするのを防止することが可能となる。
【図面の簡単な説明】
【００１９】
【図１】本発明に係るオイルシールの断面図
【図２】図１のオイルシールを環状空間に組付ける状態を示す説明図。
【図３】図１のオイルシールを環状空間に組付けた状態の断面図
【図４】従来例に係るオイルシールの断面図
【符号の説明】
【００２０】
１  オイルシール
２  主シールリップ
２０，４０  芯金
２１，４１  軸方向部
２２，４２  径方向部
３０，５０  シール部
３１，５１  固定密封部
５１ｂ  端面
５２  リップ先端部
３２，３４，５３  リップ部
４  補助シールリップ
６  軸（一の部材）
７  ハウジング（他の部材）
７１  段差部
７２  径方向面
Ａ  オイル側
Ｂ  大気側
【図１】
2007182956.tif 000003
【図２】
2007182956.tif 000004
【図３】
2007182956.tif 000005
【図４】
2007182956.tif 000006